(57)【要約】      （修正有）【課題】無線により双方向の充放電を行い得る電子装置を提供する。【解決手段】第１の受送信回路装置１は、第１の給蓄電装置１０により第１の電気を供給して第１の変調信号に変換し、さらにオン状態で第１の変調信号を第１の共振回路装置１１により受信して第１の共鳴エネルギーに変換する。第２の受送信回路装置２は、第１の受送信回路装置に対応しており、第２の受送信回路装置は、オフ状態で第１の共鳴エネルギー５５を第２の共振回路装置２１により受けて第３の変調信号に変換する。第２の給蓄電装置２０により第３の変調信号を受信するとともに第３の変調信号を第３の電気に変換して電気を蓄える。オン、オフ状態が逆の場合には、上記と逆に第２の受送信回路装置から第１の受送信回路装置に第２の共鳴エネルギー６５が送信され充電される。【選択図】図１
0003169938.tif 000002
【実用新案登録請求の範囲】
【請求項１】
第１の電気を供給するとともに前記第１の電気を第１の変調信号に変換し、並びに、第４の変調信号を受信するとともに前記第４の変調信号を第４の電気に変換して電気を蓄える第１の給蓄電装置と、
前記第１の給蓄電装置に電気的に接続され、オン状態で前記第１の変調信号を受信して第１の共鳴エネルギーに変換し、オフ状態で第２の共鳴エネルギーを受けて第４の変調信号に変換する第１の共振回路装置と、をさらに備える第１の受送信回路装置と、
前記第１の受送信回路装置に対応しており、
前記第１の共振回路装置に対応しており、オフ状態で前記第１の共鳴エネルギーを受けて第３の変調信号に変換し、オン状態で前記第２の変調信号を受信して前記第２の共鳴エネルギーに変換する第２の共振回路装置と、
前記第２の共振回路装置に電気的に接続され、前記第３の変調信号を受信するとともに前記第３の変調信号を第３の電気に変換して電気を蓄え、並びに、第２の電気を供給するとともに前記第２の電気を前記第２の変調信号に変換する第２の給蓄電装置と、をさらに備える第２の受送信回路装置と、
を含む双方向無線充放電装置。
【請求項２】
前記第１の給蓄電装置は、さらに、
前記第１の電気を第１の直流信号に変換し、並びに、第４の直流信号を受信して第４の電気に変換して電気を蓄える第１の制御回路装置と、
前記第１の制御回路装置に電気的に接続され、前記第１の直流信号を受信して第１の交流信号に変換し、並びに、第４の交流信号を受信して前記第４の直流信号に変換する第１の振動回路装置と、
前記第１の振動回路装置に電気的に接続され、前記第１の交流信号を受信して前記第１の変調信号に変換し、並びに、前記第４の変調信号を受信して前記第４の交流信号に変換する第１の駆動回路装置とを含むことを特徴とする請求項１に記載の双方向無線充放電装置。
【請求項３】
前記第１の共振回路装置は、少なくとも２つのＭＯＳＦＥＴ（Metal Oxide Semiconductor Field Effect Transistor）を備えることを特徴とする請求項１に記載の双方向無線充放電装置。
【請求項４】
前記オン状態は、少なくとも１つのＭＯＳＦＥＴが作動する状態であることを特徴とする請求項３に記載の双方向無線充放電装置。
【請求項５】
前記オフ状態は、全てのＭＯＳＦＥＴが作動停止する状態であることを特徴とする請求項３に記載の双方向無線充放電装置。
【請求項６】
前記第２の給蓄電装置は、さらに、
前記第２の共振回路装置に電気的に接続され、前記第３の変調信号を受信して第３の交流信号に変換し、並びに、第２の交流信号を受信して前記第２の変調信号に変換する第２の駆動回路装置と、
前記第２の駆動回路装置に電気的に接続されて、前記第３の交流信号を受信して第３の直流信号に変換し、並びに、第２の直流信号を受信して前記第２の交流信号に変換する第２の振動回路装置と、
前記第２の振動回路装置に電気的に接続されて、前記第３の直流信号を受信して第３の電気に変換して電気を蓄え、並びに、前記第２の電気を受けて前記第２の直流信号に変換する第２の制御回路装置と、を含むことを特徴とする請求項１に記載の双方向無線充放電装置。
【請求項７】
前記第２の共振回路装置は、少なくとも２つのＭＯＳＦＥＴ（Metal Oxide Semiconductor Field Effect Transistor）を備えることを特徴とする請求項１に記載の双方向無線充放電装置。
【請求項８】
前記オン状態は、少なくとも１つのＭＯＳＦＥＴが作動する状態であることを特徴とする請求項７に記載の双方向無線充放電装置。
【請求項９】
前記オフ状態は、全てのＭＯＳＦＥＴが作動停止する状態であることを特徴とする請求項７に記載の双方向無線充放電装置。
【考案の詳細な説明】
【技術分野】
【０００１】
本考案は、充放電装置に関し、特に、無線装置において双方向充放電を行い得る双方向無線充放電装置に関する。
【背景技術】
【０００２】
近年、科学技術の持続的な進歩につれて、電子製品に対する要求も一段高くなり、特に、消費型電子製品を重点として、従来の体積の大きい電子製品（例えば、光ディスクプレヤ、家庭用電話または卓上型パソコンなど）が携帯可能かつ効率の高い電子製品（例えば、マルチメディアプレヤ（MPEG Audio Layer-3;MP3）、携帯電話またはノートブックなど）にコンパクト化され、ライフスタイルがより効率的になってきた。
【０００３】
上記のマルチメディアプレヤ、携帯電話などの携帯式電子製品の電気としては、例えば、ニッケル水素電池やリチウム電池などの二次電池の利用が大半を占めている。これらの二次電池は、主に、充電装置により充電を行っている。該充電装置は、ＡＣアダプタとプラグとを有し、ＡＣアダプタがプラグと電源コードで接続され、また、ＡＣアダプタに二次電池を収納するための充電用凹溝が設けられている。プラグが電源コンセントに差し込まれることによって、充電時に要する電圧または電流を供給するように構成されている。しかしながら、上記の携帯式電子製品は、ＡＣアダプタまたは二次電池によって必要とする電気を供給しなければならず、且つ、上記の充電装置またはＡＣアダプタは、充電に必要の電気を電源コードで該二次電池に接続して転送されるので、その使用範囲が限られるといった問題点を有する。
【考案の概要】
【考案が解決しようとする課題】
【０００４】
本考案は上記した点に鑑みてなされたもので、本考案は、専念に研究や設計、組み立てをし、使用環境範囲に制限されず且つ無線で双方向の充放電を行い得る電子装置を提供するものである。
【０００５】
本考案は、オン状態で共鳴エネルギーを共振回路装置により伝送し、オフ状態で共鳴エネルギーを対応の共振回路装置で受けることにより、電子装置の双方向無線充電の効果を達成する双方向無線充放電装置を提供することを目的とする。
【課題を解決するための手段】
【０００６】
前記目的を達成するため、本考案による双方向無線充放電装置は、第１の受送信回路装置と第２の受送信回路装置とを含む。前記第１の受送信回路装置は、さらに、第１の給蓄電装置と第１の共振回路装置とを含む。前記第１の給蓄電装置は、第１の電気を供給するとともに前記第１の電気を第１の変調信号に変換し、並びに、第４の変調信号を受信するとともに前記第４の変調信号を第４の電気に変換して電気を蓄える。前記第１の共振回路装置は、前記第１の給蓄電装置に電気的に接続され、前記第１の共振回路装置は、オン状態で前記第１の変調信号を受信して第１の共鳴エネルギーに変換し、オフ状態で第２の共鳴エネルギーを受けて前記第４の変調信号に変換する。
【０００７】
前記第２の受送信回路装置は、前記第１の受送信回路装置に対応しており、前記第２の受送信回路装置は、さらに、第２の給蓄電装置と第２の共振回路装置とを含む。前記第２の共振回路装置は、前記第１の共振回路装置に対応しており、前記第２の共振回路装置は、オフ状態で前記第１の共鳴エネルギーを受けて第３の変調信号に変換し、オン状態で第２の変調信号を受信して前記第２の共鳴エネルギーに変換する。前記第２の給蓄電装置は、前記第２の共振回路装置に電気的に接続され、前記第２の給蓄電装置は、前記第３の変調信号を受信するとともに前記第３の変調信号を第３の電気に変換して電気を蓄え、並びに、第２の電気を供給するとともに前記第２の電気を前記第２の変調信号に変換する。
【図面の簡単な説明】
【０００８】
【図１】本考案による双方向無線充放電装置の好ましい実施例を示すブロック図である。
【図２】本考案による第１の共振回路装置と第２の共振回路装置との対応組合の好ましい実施例を示す回路図である。
【考案を実施するための形態】
【０００９】
本考案の特徴、特点及び技術内容をさらに深く了解を得るため、以下に本考案について詳細に説明するが、本考案はこれらに限定されるものではない。
【００１０】
図１は、本考案による双方向無線充放電装置の好ましい実施例を示すブロック図である。図１に示すように、本考案による双方向無線充放電装置は、第１の受送信回路装置１と第２の受送信回路装置２とを含む。第１の受送信回路装置１は、さらに、第１の給蓄電装置１０と第１の共振回路装置１１とを含み、第１の給蓄電装置１０は、第１の電気５１を供給するとともに第１の電気５１を第１の変調信号５４に変換する。本考案の好ましい実施例では、第１の給蓄電装置１０は、さらに、第１の制御回路装置１２と、第１の振動回路装置１３と、第１の駆動回路装置１４とを含む。まず、第１の給蓄電装置１０は、第１の電源装置１５（例えば、二次電池）で第１の電気５１を供給し、第１の制御回路装置１２は、第１の電気５１を第１の直流信号５２に変換する。第１の振動回路装置１３は、第１の制御回路装置１２に電気的に接続され、第１の直流信号５２を受信して第１の交流信号５３に変換する。第１の駆動回路装置１４は、第１の振動回路装置１３に電気的に接続され、第１の交流信号５３を受信して第１の変調信号５４に変換する。
【００１１】
図２は、本考案による第１の共振回路装置と第２の共振回路装置との対応組合の好ましい実施例を示す回路図である。図２に示すように、第１の共振回路装置１１は、第１の給蓄電装置１０に電気的に接続され、本考案の好ましい実施例では、第１の共振回路装置１１は、少なくとも２つのＭＯＳＦＥＴ（Metal Oxide Semiconductor Field Effect Transistor）１１０で電気的に接続してハーフブリッジ型電力回路に形成される。第１の共振回路装置１１は、少なくとも１つのＭＯＳＦＥＴ１１０が作動する状態であるオン状態となる場合には、発射状態となり、第１の共振回路装置１１は、第１の変調信号５４を受信して第１の共鳴エネルギー５５に変換する。
【００１２】
第２の受送信回路装置２は、第１の受送信回路装置１に対応しており、第２の受送信回路装置２は、さらに、第２の共振回路装置２１と第２の給蓄電装置２０とを含む。第２の共振回路装置２１は、第１の共振回路装置１１に対応しており、本考案の好ましい実施例では、第２の共振回路装置２１は、少なくとも２つのＭＯＳＦＥＴ２１０で電気的に接続してハーフブリッジ型電力回路に形成される。第２の共振回路装置２１は、全てのＭＯＳＦＥＴ２１０が作動停止する状態であるオフ状態となる場合には、受信状態となり、第２の共振回路装置２１は、第１の共鳴エネルギー５５を受けて第３の変調信号５６に変換する。第２の給蓄電装置２０は、第２の共振回路装置２１に電気的に接続され、第２の給蓄電装置２０は、第３の変調信号５６を受信するとともに第３の変調信号５６を第３の電気５９に変換して電気を蓄える。
【００１３】
本考案の好ましい実施例では、第２の給蓄電装置２０は、さらに、第２の駆動回路装置２４と、第２の振動回路装置２３と、第２の制御回路装置２２とを含み、第２の駆動回路装置２４は、第２の共振回路装置２１に電気的に接続され、第３の変調信号５６を受信して第３の交流信号５７に変換する。第２の振動回路装置２３は、第２の駆動回路装置２４に電気的に接続され、第３の交流信号５７を受信して第３の直流信号５８に変換する。第２の制御回路装置２２は、第２の振動回路装置２３に電気的に接続され、第３の直流信号５８を受信するとともに第３の電気５９に変換して第２の電源装置２５（例えば、二次電池）に電気を蓄える。
【００１４】
もちろん、第２の共振回路装置２１は、少なくとも１つのＭＯＳＦＥＴ２１０が作動する状態であるオン状態となる場合には、発射状態となり、第１の共振回路装置１１は、全てのＭＯＳＦＥＴ１１０が作動停止する状態であるオフ状態となる場合には、受信状態となる。この際に、第２の給蓄電装置２０は、第２の電源装置２５（例えば、二次電池）で第２の電気６１を供給し、第２の制御回路装置２２は、第２の電気６１を第２の直流信号６２に変換する。第２の振動回路装置２３は、第２の直流信号６２を受信して第２の交流信号６３に変換し、第２の駆動回路装置２４は、第２の交流信号６３を受信して第２の変調信号６４に変換する。第２の共振回路装置２１は発射状態となり、第２の変調信号６４を受信して第２の共鳴エネルギー６５に変換する。第１の共振回路装置１１は受信状態となり、第２の共鳴エネルギー６５を受けて第４の変調信号６６に変換する。第１の駆動回路装置１４は、第４の変調信号６６を受信して第４の交流信号６７に変換する。第１の振動回路装置１３は、第４の交流信号６７を受信して第４の直流信号６８に変換し、第１の制御回路装置１２は、第４の直流信号６８を受信して第４の電気６９に変換し、第１の電源装置１５に電気を蓄える。よって、電子装置の双方向無線充電の効果を確実的に達成できる。
【００１５】
以上のように単に本考案の好ましい実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００１６】
１・・・・・・第１の受送信回路装置
２・・・・・・第２の受送信回路装置
１０・・・・・第１の給蓄電装置
１１・・・・・第１の共振回路装置
１２・・・・・第１の制御回路装置
１３・・・・・第１の振動回路装置
１４・・・・・第１の駆動回路装置
１５・・・・・第１の電源装置
２０・・・・・第２の給蓄電装置
２１・・・・・第２の共振回路装置
２２・・・・・第２の制御回路装置
２３・・・・・第２の振動回路装置
２４・・・・・第２の駆動回路装置
２５・・・・・第２の電源装置
５１・・・・・第１の電気
５２・・・・・第１の直流信号
５３・・・・・第１の交流信号
５４・・・・・第１の変調信号
５５・・・・・第１の共鳴エネルギー
５６・・・・・第３の変調信号
５７・・・・・第３の交流信号
５８・・・・・第３の直流信号
５９・・・・・第３の電気
６１・・・・・第２の電気
６２・・・・・第２の直流信号
６３・・・・・第２の交流信号
６４・・・・・第２の変調信号
６５・・・・・第２の共鳴エネルギー
６６・・・・・第４の変調信号
６７・・・・・第４の交流信号
６８・・・・・第４の直流信号
６９・・・・・第４の電気
１１０・・・・ＭＯＳＦＥＴ
２１０・・・・ＭＯＳＦＥＴ
【図１】
0003169938.tif 000003
【図２】
0003169938.tif 000004